(57)【要約】【課題】電線の噛み込みを防止することができる電気接続体収容ケースを提供すること。【解決手段】電線Ｗを介して接続される相手電気接続体Ｕが収容される電気接続体収容室２３が設けられた電気接続体１０と、前記電気接続体１０の前記電線Ｗが配索される側を覆い、前記電気接続体収容室２３に対応するように区画する壁である収容室対応隔壁５３が設けられたカバー部５０と、を有する電気接続体収容ケース１であって、前記収容室対応隔壁５３は、前記電線が前記収容室対応隔壁５３を貫通して前記電気接続体収容室２３内に配索されるように切り欠き状に形成された開口である電線配索用開口部５３ａを有し、前記電気接続体１０は、前記カバー部５０が組み付けられた場合に、前記電線配索用開口部５３ａに前記電線Ｗを挿通させるように該電線Ｗの一部を保持する電線保持部４０を有する。【選択図】図６
2014236594.tif 000002
【特許請求の範囲】
【請求項１】
電線を介して接続される相手電気接続体が収容される電気接続体収容室が設けられた電気接続体と、前記電気接続体の前記電線が配索される側を覆い、前記電気接続体収容室に対応するように区画する壁である収容室対応隔壁が設けられたカバー部と、を有する電気接続体収容ケースであって、
前記収容室対応隔壁は、
前記電線が前記収容室対応隔壁を貫通して前記電気接続体収容室内に配索されるように切り欠き状に形成された開口である電線配索用開口部を有し、
前記電気接続体は、
前記カバー部が組み付けられた場合に、前記電線配索用開口部に前記電線を挿通させるように該電線の一部を保持する電線保持部
を有する
ことを特徴とする電気接続体収容ケース。
【請求項２】
前記電線保持部は、
Ｌ字状をなし、前記電気接続体と前記カバー部とが組み付けられた場合、前記電線配索用開口部近傍に配置される
ことを特徴とする請求項１に記載の電気接続体収容ケース。
【請求項３】
前記電線は、
前記相手電気接続体に接続される側の端部にコネクタを有し、
前記電線保持部は、
前記コネクタが前記電線配索用開口部を通って移動されることを阻止するように設けられる
ことを特徴とする請求項１または２に記載の電気接続体収容ケース。
【発明の詳細な説明】
【技術分野】
【０００１】
本発明は、電線を介して接続される相手電気接続体が収容される電気接続体収容室が設けられた電気接続体と、電気接続体の電線が配索される側を覆い、電気接続体収容室に対応するように区画する壁である収容室対応隔壁が設けられたカバー部と、を有する電気接続体収容ケース関する。
【背景技術】
【０００２】
従来、電線を介して接続される相手電気接続体が収容される電気接続体収容室が設けられた電気接続体と、電気接続体の電線が配索される側を覆い、電気接続体収容室に対応するように区画する壁である収容室対応隔壁が設けられたカバー部と、を有する電気接続体収容ケースが用いられるものとして、例えば、自動車に搭載される電気接続箱がある。この電気接続箱は、自動車に搭載された電装品に電力を分配するため、リレー、ヒューズ等の電気電子部品が集約して電気接続体が構成され、この電気接続体に接続される相手気接続体として、例えば、電源分配ユニットとしてのパワーインテグレーション（Ｐｏｗｅｒ  Ｉｎｔｅｇｒａｔｉｏｎ）、あるいは電子制御ユニット（ＥＣＵ：ｅｌｅｃｔｒｏｎｉｃ  ｃｏｎｔｌｏｌ  ｕｎｉｔ）等のユニット部品が電気接続体収容室内に収容される（例えば、特許文献１参照）。
【０００３】
特許文献１に記載された電気接続箱は、リレー、ヒューズ等の電気電子部品が集約されたブロック体が組み込まれた電気接続体としての収容箱と、相手電気接続体としての電子制御ユニットとが電線を介してユニット収容室（接続体収容室）内で接続され、収容箱の電線が配索される側を覆うロアー部材（カバー部）が２分割され、電気接続体収容室に対応するように区画する壁である側壁（収容室対応隔壁）を設けられることによって、ユニット収容室（接続体収容室）内部が外部から熱的に遮蔽されるようになっている。
【先行技術文献】
【特許文献】
【０００４】
【特許文献１】特開２０１２−２０５４１５号公報
【発明の概要】
【発明が解決しようとする課題】
【０００５】
しかしながら、上述した電気接続体収容ケースのように、カバー部４００に収容室対応隔壁４１０が設けられると、電気接続体３００とカバー部４００とを組み付ける際、図８に示すように、収容室対応隔壁４１０のスリット４１０ａに電線Ｗが配置されず、電気接続体収容室３１０を区画する隔壁３１０ａと収容室対応隔壁４１０との間に電線Ｗが噛み込んでしまうおそれがあった。
【０００６】
本発明は、上記に鑑みてなされたものであって、電線の噛み込みを防止することができる電気接続体収容ケースを提供することを目的とする。
【課題を解決するための手段】
【０００７】
上述した課題を解決し、目的を達成するために、本発明の請求項１に係る電気接続体収容ケースは、電線を介して接続される相手電気接続体が収容される電気接続体収容室が設けられた電気接続体と、前記電気接続体の前記電線が配索される側を覆い、前記電気接続体収容室に対応するように区画する壁である収容室対応隔壁が設けられたカバー部と、を有する電気接続体収容ケースであって、前記収容室対応隔壁は、前記電線が前記収容室対応隔壁を貫通して前記電気接続体収容室内に配索されるように切り欠き状に形成された開口である電線配索用開口部を有し、前記電気接続体は、前記カバー部が組み付けられた場合に、前記電線配索用開口部に前記電線を挿通させるように該電線の一部を保持する電線保持部を有することを特徴とする。
【０００８】
また、本発明の請求項２に係る電気接続体収容ケースは、上記の発明において、前記電線保持部は、Ｌ字状をなし、前記電気接続体と前記カバー部とが組み付けられた場合、前記電線配索用開口部近傍に配置されることを特徴とする。
【０００９】
また、本発明の請求項３に係る電気接続体収容ケースは、上記の発明において、前記電線は、前記相手電気接続体に接続される側の端部にコネクタを有し、前記電線保持部は、前記コネクタが前記電線配索用開口部を通って移動されることを阻止するように設けられることを特徴とする。
【発明の効果】
【００１０】
本発明の請求項１に係る電気接続体収容ケースは、前記電気接続体と前記カバー部とが組み付けられる場合、前記電線の一部が前記電線保持部によって保持された状態で前記電気接続体と前記カバー部の合わせ面が近づけられ、前記電線の一部が前記カバー部の前記電線配索用開口部に挿通されるように配置されることによって、前記電気接続体の前記電気接続体収容室を区画する隔壁と前記カバー部の前記収容室対応隔壁との間に前記電線が噛み込まないので、前記電線の噛み込みを防止することができる。
【００１１】
本発明の請求項２に係る電気接続体収容ケースは、Ｌ字状の前記電線保持部によって保持された前記電線Ｗの一部が前記電線配索用開口部近傍に配置されるので、前記電線の一部が前記カバー部の前記電線配索用開口部に確実に挿通され、前記電線の噛み込みを確実に防止することができる。
【００１２】
本発明の請求項３に係る電気接続体収容ケースは、前記電線の係止部を新たに設けることなく前記電線保持部によって前記コネクタが前記電線配索用開口部を通って移動されることを阻止することができるため、簡易な構成で前記コネクタを前記相手電気接続体との接続待ちの状態で、前記電気接続体収容室内に保持させておくことができる。
【図面の簡単な説明】
【００１３】
【図１】図１は、本発明の実施例に係る電気接続体収容ケースが用いられた電気接続箱の構成を示した図である。
【図２】図２は、図１に示した電気接続箱にユニット部品およびカバー部が組み付けされる前の状態を示した図であり、（ａ）が上面図、（ｂ）が側面図を示している。
【図３】図３は、図１に示した電気接続体を斜め下方から視た図である。
【図４】図４は、図１に示したカバー部を斜め上方から視た図である。
【図５】図５は、図１に示した電気接続箱の電線保持部周辺をブロック設置側から視た拡大した図であり、コネクタが電線保持部によって移動が阻止されている状態を示した図である。
【図６】図６は、電気接続体とカバー部とを組み付ける手順を示した図である。
【図７】図７は、本発明の実施例に係る電気接続体収容ケースの変形例の電気接続体収容ケースが用いられた電気接続箱の電線保持部周辺を拡大した図であり、コネクタが電線保持部によって移動が阻止されている状態を示した図である。
【図８】図８は、従来技術について説明するための図であり、（ａ）が電気接続体とカバー部とが組み付けられた状態を示した図であり、（ｂ）が電気接続体とカバー部とが組み付けられる前の状態を示した図である。
【発明を実施するための形態】
【００１４】
以下、図面を参照して、本発明に係る電気接続体収容ケースの好適な実施例を詳細に説明する。
【実施例】
【００１５】
図１は、本発明の実施例に係る電気接続体収容ケース１が用いられた電気接続箱１００の構成を示した図である。
なお、図１では、アッパーカバー１１０は図示せず、ユニット部品Ｕは電気接続体収容室２３内に収容される前の状態を示すとともに、電気接続体収容ケース１内を示すために一部断面を示している。
図２は、図１に示した電気接続箱１００にユニット部品Ｕおよびカバー部５０が組み付けされる前の状態を示した図であり、（ａ）が上面図、（ｂ）が側面図を示している。図３は、図１に示した電気接続体１０を斜め下方から視た図である。図４は、図１に示したカバー部５０を斜め上方から視た図である。
図５は、図１に示した電気接続箱１００の電線保持部４０周辺をブロック３０設置側から視た拡大した図であり、コネクタＣが電線保持部４０によって移動が阻止されている状態を示した図である。
なお、図５では、電線Ｗは図示していない。
また、本発明の実施例では説明の便宜上、図中矢印に示すように上下方向を定義する。
また、電線については１本のみ示し、その他の電線については図示を省略している。
本発明の実施例に係る電気接続体収容ケース１は、電気接続箱１００の外郭を形成し、電気接続箱１００の各機能部品等が内部に収容されるものでケースである。
【００１６】
本発明の実施例に係る電気接続体収容ケース１は、電線Ｗを介して接続される相手電気接続体としてのユニット部品Ｕが収容される電気接続体収容室２３が設けられた電気接続体１０と、電気接続体１０の電線Ｗが配索される側を覆い、電気接続体収容室２３に対応するように区画する壁である収容室対応隔壁５３が設けられたカバー部５０と、電気接続体１０の上部を覆うアッパーカバー１１０と、を有する。
【００１７】
まず、電気接続体１０について説明する。
電気接続体１０は、上下両面が開口された合成樹脂製の筒状の本体部２０と、リレー等の複数の電気電子部品Ｅが装着されるブロック３０と、を有する。
【００１８】
本体部２０は、筒状の壁を構成する外周壁２１と、外周壁２１内に形成された収容空間を区画する隔壁２２とによって、ユニット部品Ｕが収容される電気接続体収容室２３が形成されるようになっている。
【００１９】
電気接続体収容室２３は、ユニット部品Ｕが電線Ｗに接続される接続部を下方に向けて収容されるようになっている。
【００２０】
ブロック３０は、本体部２０とは別体に構成され、本体部２０の収容空間内に取り付けられるようになっている。
このブロック３０は、合成樹脂製のブロック本体３１の上面に複数の電気電子部品Ｅが装着される電気電子部品装着部３１ａが設けられ、下面に電線Ｗの一端側に設けられた不図示の端子が装着される端子装着部３１ｂが設けられている。
なお、ブロック３０には不図示の金属端子部材が埋設され、電気電子部品装着部３１ａに装着された電気電子部品Ｅと、端子装着部３１ｂに装着された電線Ｗの不図示の端子とが不図示の金属端子部材を介して接続されるようになっている。
【００２１】
なお、この実施例では、ブロック３０が本体部２０と別体に構成されるものを例示したが、これに限らず、ブロック３０が本体部２０に一体的に設けられるようにしても構わない。
【００２２】
また、電気接続体１０は、カバー部５０が組み付けられた場合、後述する電線配索用開口部５３ａに電線Ｗを挿通させるように電線Ｗの一部を保持する電線保持部４０を有する。
電線保持部４０は、Ｌ字状をなし、電気接続体１０とカバー部５０とが組み付けられた場合、後述する電線配索用開口部５３ａ近傍に配置されるようになっている。
この電線保持部４０は、隔壁２２にＬ字状に突設され、電線Ｗの後述する電線配索用開口部５３ａに挿通させる部分、あるいはその周辺部分を保持するようになっている。
この電線保持部４０によって電線Ｗを保持した状態で、電気接続体１０とカバー部５０とを組み付けることによって、電線Ｗが隔壁２２と収容室対応隔壁５３との間に噛み込まないように電線配索用開口部５３ａに電線Ｗを誘導することができるようになっている。
【００２３】
また、電線保持部４０は、ユニット部品Ｕに接続されるコネクタＣが後述する電線配索用開口部５３ａを通って移動されることを阻止するように設けられている。
より具体的には、電線保持部４０は、図５に示すように、カバー部５０の電気接続体収容室２３に対応した後述するカバー側区画空間６０に配置されたコネクタＣが、カバー部５０の後述するカバー側区画空間６０外に引き出されないように、後述する電線配索用開口部５３ａを２分割するように配置されている。すなわち、電線保持部４０のＬ字の水平部分４０ａの長さが、電線配索用開口部５３ａを図中水平方向でほぼ横断するように調整されている。
このため、後述するカバー側区画空間６０に配置されたコネクタＣが、例えば、電線Ｗを介して後述するカバー側区画空間６０外に向けて引っ張られたとしても、コネクタＣが後述する電線配索用開口部５３ａに挿通される前に電線保持部４０に接触され、後述するカバー側区画空間６０外に引き出されることが阻止されるようになっている。すなわち、電線ＷのコネクタＣをユニット部品Ｕへの接続待ちの状態で、電気接続体収容室２３内に保持させておくことができる。
【００２４】
次に、カバー部５０について説明する。
カバー部５０は、図４に示すように、電気接続体１０に組み付けられる側の上面が開口された合成樹脂製の有底のカバーであり、底面を形成する底壁５１と、底壁５１の外周縁面にそって立設された周側壁５２とによって内部空間が形成されるようになっている。
【００２５】
また、カバー部５０は、内部に収容室対応隔壁５３が設けられることによって、電気接続体１０の電気接続体収容室２３によって区画された空間がカバー部５０の内部空間にわたって連続されるように、電気接続体収容室２３に対応したカバー側区画空間６０が形成されるようになっている。
【００２６】
収容室対応隔壁５３は、カバー部５０内でカバー側区画空間６０とそれ以外の空間との熱の伝達がされ難いように、２重の壁の間に空間が形成された２重壁によって壁の大部分が構成されている。
なお、収容室対応隔壁５３は２重壁であるものを例示したが、これに限定されず、カバー側区画空間６０を形成することができれば１枚壁であっても構わない。
【００２７】
また、収容室対応隔壁５３は、電線Ｗが収容室対応隔壁５３を貫通して電気接続体収容室２３内に配索されるように切り欠き状に形成された開口である電線配索用開口部５３ａを有する。
この電線配索用開口部５３ａを通って、電線Ｗがユニット部品Ｕに接続される側の端部に設けられたコネクタＣを電気接続体収容室２３に向けて配索されるようになっている。
このような収容室対応隔壁５３によってカバー部５０の内部空間が電気接続体収容室２３に対応して区画されるので、電気接続体収容室２３内部が外部から熱的に遮蔽されるようになっている
【００２８】
次に、図６を用いて、電気接続体１０とカバー部５０とを組み付ける手順について説明する。図６は、電気接続体１０とカバー部５０とを組み付ける手順を示した図である。
なお、以下の手順の説明では、電気接続体収容ケース１内に配索される複数の電線Ｗのうち、一本の電線Ｗについて代表して示している。
【００２９】
まず、作業者は、電気接続体１０に一端が接続された状態の電線Ｗの一部を電線保持部４０によって保持させる。
この作業では、電線保持部４０のＬ字の水平部分４０ａの上方が大きく開いた状態であるため、電線Ｗの一部を水平部分４０ａ上に容易に配置することができる。
【００３０】
その後、作業者は、電気接続体１０の下端部とカバー部５０の上端部とを位置合わせしながら近づける（図６（ａ）参照）。この作業では、電線Ｗの一部が電線保持部４０によって保持された状態で電気接続体１０の下端部とカバー部５０の上端部とが近づけられ、電線Ｗの一部がカバー部５０の電線配索用開口部５３ａに挿通されるように配置される。  このため、電気接続体１０の隔壁２２とカバー部５０の収容室対応隔壁５３との間に電線Ｗが噛み込まないようにして電気接続体１０の下端部とカバー部５０の上端部とが重ね合わされる。
【００３１】
最後に、電気接続体１０とカバー部５０との係止部を係止させることによって電気接続体１０とカバー部５０との組み付けが完了される（図６（ｂ））。これによって、コネクタＣが電線保持部４０によって電線配索用開口部５３ａを通って移動されることを阻止されながらユニット部品Ｕへの接続待ちの状態で電気接続体収容室２３内に保持される。
【００３２】
本発明の実施例に係る電気接続体収容ケース１は、電気接続体１０とカバー部５０とが組み付けられる場合、電線Ｗの一部が電線保持部４０によって保持された状態で電気接続体１０とカバー部５０の合わせ面が近づけられ、電線Ｗの一部がカバー部５０の電線配索用開口部５３ａに挿通されるように配置されることによって、電気接続体１０の隔壁２２とカバー部５０の収容室対応隔壁５３との間に電線Ｗが噛み込まないので、電線Ｗの噛み込みを防止することができる。
【００３３】
また、本発明の実施例に係る電気接続体収容ケース１は、Ｌ字状の電線保持部４０によって保持された電線Ｗの一部が電線配索用開口部５３ａに配置されるので、電線Ｗの一部がカバー部５０の電線配索用開口部５３ａに確実に挿通され、電線Ｗの噛み込みを確実に防止することができる。
【００３４】
また、本発明の実施例に係る電気接続体収容ケース１は、電線Ｗの係止部を新たに設けることなく電線保持部４０によってコネクタＣが電線配索用開口部５３ａを通って移動されることを阻止することができるため、簡易な構成でコネクタＣをユニット部品Ｕとの接続待ちの状態で、電気接続体収容室２３内に保持させておくことができる。
【００３５】
（変形例）
次に、図７を用いて、本発明の実施例に係る電気接続体収容ケース１の変形例について説明する。図７は、本発明の実施例に係る電気接続体収容ケース１の変形例の電気接続体収容ケース２が用いられた電気接続箱２００の電線保持部８０周辺を拡大した図であり、コネクタＣが電線保持部８０によって移動が阻止されている状態を示した図である。
なお、図７では、電線Ｗは図示していない。
この変形例の電気接続体収容ケース２は、電線保持部８０がＭ字形状である点で実施例の電気接続体収容ケース１と異なる。
なお、その他の構成は実施例と同様であり、実施例と同一構成部分には同一符号を付している。
【００３６】
電線保持部８０は、電気接続体７０とカバー部５０とが組み付けられた状態で、電線配索用開口部５３ａに配置されるように隔壁２２にＭ字形状に突設され、電線Ｗの電線配索用開口部５３ａに挿通させる部分、あるいはその周辺部分を保持するようになっている。
この電線保持部８０は、電線配索用開口部５３ａをほぼ水平方向に横断する水平部分８０ａの中央くぼみ部分にスリット８１が形成され、スリット８１の幅が弾性的に拡縮変形可能になっている。
このスリット８１の幅を弾性的に押し拡げるようにして、電線Ｗの一部が水平部分８０ａの下側から上側に移動されることによって、電線Ｗの一部が電線保持部８０によって保持されるようになっている。
【００３７】
この変形例に係る電気接続体収容ケース２は実施例の電気接続体収容ケース１と同様の効果を奏するとともに、電線保持部８０によって保持された電線Ｗの一部が容易に外れない構造になっているので、電線保持部８０によってより確実に電線Ｗの一部を保持することができる。
【００３８】
なお、本発明の実施例に係る電気接続体収容ケース１、２は、電気接続体１０、７０と、カバー部５０と、アッパーカバー１１０と、を有するものを例示したが、これに限らず、少なくとも電気接続体１０、７０およびカバー部５０を有するものであればよい。
【００３９】
また、本発明の実施例に係る電気接続体収容ケース１、２の電気接続体１０、７０と相手電気接続体としてのユニット部品Ｕとを接続する電線Ｗは、一端に不図示の端子が設けられ、他端にコネクタＣが設けられたものを例示したが、これに限らず、電気接続体１０、７０と相手電気接続体Ｕとを電線Ｗによって電気的に接続することができれば、電線Ｗの両端はその他の構成であっても構わない。例えば、電線Ｗの両端が端子であってもよい。
【００４０】
また、本発明の実施例に係る電気接続体収容ケース１、２は、電気接続体１０、７０がリレー等の電気電子部品が集約して構成されたものであるものを例示したが、これに限らず、電線Ｗを介して互いに接続される電気接続体であればその他のものを用いても構わない。
【００４１】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４２】
１、２          電気接続体収容ケース
１０、７０      電気接続体
２０            本体部
２１            外周壁
２２            隔壁
２３            電気接続体収容室
３０            ブロック
３１            ブロック本体
３１ａ          電気電子部品装着部
３１ｂ          端子装着部
４０、８０      電線保持部
４０ａ、８０ａ  水平部分
５０            カバー部
５１            底壁
５２            周側壁
５３            収容室対応隔壁
５３ａ          電線配索用開口部
６０            カバー側区画空間
８１            スリット
１００、２００  電気接続箱
１１０          アッパーカバー
Ｅ              電気電子部品
Ｕ              ユニット部品（相手電気接続体）
Ｗ              電線
Ｃ              コネクタ
【図１】
2014236594.tif 000003
【図２】
2014236594.tif 000004
【図３】
2014236594.tif 000005
【図４】
2014236594.tif 000006
【図５】
2014236594.tif 000007
【図６】
2014236594.tif 000008
【図７】
2014236594.tif 000009
【図８】
2014236594.tif 000010